(57)【要約】      （修正有）【課題】散逸することがなく、また嵩張ることなく、脚体を箱形ケースに付属させることができる物品収納展示ケースを提供する。【解決手段】箱形ケースと、収納物品１０を物品収納用凹部１４内に収納した状態で前記箱形ケース２内に収納することが可能な台紙とを有し、前記台紙は分離している本体台紙部分１２と脚部分１３とを組み合わせて備えており、前記本体台紙部分は肉厚方向に凹入する窪み若しくは肉厚方向に貫通する孔からなり収納物品を収納可能な前記物品用凹部１４と肉厚方向に凹入する窪み若しくは肉厚方向に貫通する孔または切り欠き部からなり前記脚部分を収納可能な脚収納用凹部１５とを有し、前記脚部分は前記箱形ケースの外縁部分に嵌合可能な溝２１を有し、前記溝２１内に前記箱形ケースの前記外縁部分を嵌合させて前記箱形ケースを立てた状態に姿勢に支えることが可能である。【選択図】図１
0003135332.tif 000002
【実用新案登録請求の範囲】
【請求項１】
箱形ケースと、収納物品を物品収納用凹部内に収納した状態で前記箱形ケース内に収納することが可能な台紙とを有し、
前記台紙は分離している本体台紙部分と脚部分とを組み合わせて備えており、
前記本体台紙部分は肉厚方向に凹入する窪み若しくは肉厚方向に貫通する孔からなり収納物品を収納可能な前記物品収納用凹部と肉厚方向に凹入する窪み若しくは肉厚方向に貫通する孔または切り欠き部からなり前記脚部分を収納可能な脚収納用凹部とを有し、
前記脚部分は前記箱形ケースの外縁部分に嵌合可能な溝を有し、前記溝内に前記箱形ケースの前記外縁部分を嵌合させて前記箱形ケースを立てた姿勢に支えることが可能であることを特徴とする物品収納展示ケース。
【請求項２】
前記台紙と協働して前記収納物品の周囲の外観を形成するシートを前記台紙に重ねて前記箱形ケースに収納してあることを特徴とする請求項１記載の物品収納展示ケース。
【考案の詳細な説明】
【技術分野】
【０００１】
この考案は、メダルなどの物品を厚みの小さい箱形ケースで包装し、その箱形ケースで包装した状態のまま物品を展示する場合に使用する物品収納展示ケースに関するものである。
【背景技術】
【０００２】
従来、メダルや装飾品などの流通においては、メーカーが物品を生産し、箱状の箱形ケースに入れて小売業者に出荷し、小売業者は店頭で、物品を箱形ケースから取り出してショーケースに並べて展示し、顧客が購入した場合に物品を再び箱形ケースに入れて顧客に渡している。
【０００３】
【特許文献１】実開昭６０−１０５７２
【特許文献２】実開昭６０−９５０２２
【考案の開示】
【考案が解決しようとする課題】
【０００４】
しかし最近は箱形ケース自体が透明のプラスチックで構成されて美麗であり、物品の装飾的ディスプレーに役立っているところから、物品を箱形ケースに入れたまま展示することが行なわれている。この時箱形ケースを立てて展示することがディスプレー効果上好ましい場合には、脚体を使用して箱形ケースを立てる。この脚体は箱形ケースに付属させておくのであるが、この脚体が箱形ケースから離れて散逸する場合があり、また脚体を箱形ケースの外側に取付けてある場合や箱形ケース内に収納する形式の場合は、嵩張るという問題がある。
このようなことからこの考案は、散逸することがなく、また嵩張ることなく、脚体を箱形ケースに付属させることができる物品収納展示ケースを提供することを目的とするものである。
【課題を解決するための手段】
【０００５】
この目的に対応して、この考案の物品収納展示ケースは、箱形ケースと、収納物品を物品収納用凹部ないに収納した状態で前記箱形ケース内に収納することが可能な台紙とを有し、
前記台紙は分離している本体台紙部分と脚部分とを組み合わせて備えており、
前記本体台紙部分は肉厚方向に凹入する窪み若しくは肉厚方向に貫通する孔からなり収納物品を収納可能な前記物品用凹部と肉厚方向に凹入する窪み若しくは肉厚方向に貫通する孔または切り欠き部からなり前記脚部分を収納可能な脚収納用凹部とを有し、
前記脚部分は前記箱形ケースの外縁部分に嵌合可能な溝を有し、前記溝内に前記箱形ケースの前記外縁部分を嵌合させて前記箱形ケースを立てた状態に姿勢に支えることが可能であることを特徴としている。
【考案の効果】
【０００６】
箱形ケースを支える脚体部分は台紙自体が構成し、台紙に組み込まれているので、散逸することがなく、また嵩張ることもない。本体台紙部分と脚体部分とは同じ材料または異なる材料で構成されるが、脚体部分が台紙に切り目を入れて台紙から切り出されたものである場合は、台紙の他に脚体部分を構成する別の材料を必要とせず、省資源の要求を満たすことができ、かつ製造も容易である。
【考案を実施するための最良の形態】
【０００７】
以下この考案の詳細を一実施形態について説明する。
【実施例１】
【０００８】
図１において1ａは物品収納展示ケースである。物品収納展示ケース1ａは箱形ケース２内に台紙３を収納して構成されている。
箱形ケース２は内部の空間１１に台紙３及び物品１０を収納することが可能で、正面４、背面５、左右の側面６、７及び上下の側面８、９を有する厚みの小さい直方形外形を有し、かつ内部の空間１１も直方形状であって、正面４、背面５は少なくとも一部分は透明に構成されていることが望ましい。
【０００９】
台紙３は物品１０を後述する物品収納用凹部１４内に収納することができる厚みを有し、図２及び図３に示すように本体台紙部分１２と脚部分１３とを嵌め合せて備えている。
【００１０】
本体台紙部分１２は中央部分に円形の物品収納用凹部１４を形成している。物品収納用凹部１４は本体台紙部分１２の肉厚方向に凹入する窪み若しくは肉厚方向に貫通する孔からなっていて物品１０の周縁を抱持して収納可能である。
【００１１】
また本体台紙部分１２には物品収納用凹部１４にかからない部分に脚収納用凹部１５を形成している。
【００１２】
脚収納用凹部１５は本体台紙部分１２をその肉厚方向に凹入する窪み若しくは肉厚方向に貫通する孔または脚部分１３と嵌合する凹凸部を持つ切り欠き部からなっていて、脚部分１３とほぼ同形をなし、脚部分１３の周縁部の少なくとも一部分を抱持して、若しくは脚部分１３と嵌合して収納可能である。
【００１３】
脚収納用凹部１５と脚部分１３とは雌雄の関係を持つ対称形であるので、台紙３を形成するときに断裁機の切刃で本体台紙部分１２を切り出すときに同時に脚収納用凹部１５と脚部分１３を形成することができる。
【００１４】
脚部分１３は箱形ケース２と嵌合して箱形ケース２を立てた姿勢で展示する場合の脚として機能する部材で、下面１７または側面１８が脚の接地面となり、上面１６に箱形ケース２の外縁部分に嵌合するための溝２１を有する。
【００１５】
このような構成の物品収納展示ケース１ａにおいては、物品１０を箱形ケース２内に収納する場合には、台紙３を収納している箱形ケース２から台紙３を外し、台紙３の本体台紙部分１２の物品収納用凹部１４内に物品１０を嵌め込み、その状態で台紙３を再び箱形ケース２内に収納して完了する。
【００１６】
次に物品１０を箱形ケース２に収納したまま展示する場合には、箱形ケース２から台紙３を取り出し、台紙３から脚部分１３を外し、次に脚部分１３を外した残りの本体台紙部分１２を箱形ケース２に戻し、本体台紙部分１２の物品収納用奥部１４に物品１０を納めて、箱形ケース２内への物品１０の再収納を完了する。
【００１７】
次に図４（ａ）に示すように、脚部分１３の接地面である下面１７を下にして接地させ、上面１６の溝２１に下側面９を嵌合させて、箱形ケース２を立てた姿勢にする。これによって物品１０を箱形ケース２に入れたまま箱形ケース２を立てて展示することが実現する。
【００１８】
また、脚部分１３の側面１８を接地面として利用する場合には図４（ｂ）に示すように脚部分１３を横に寝かせて、側面１８を接地させた状態で溝２１に箱形ケース２の側面６（７）を嵌入させて箱形ケース２を立てた姿勢にすることができる。
【００１９】
図５に示すように箱形ケース２内に台紙３に重ねてシート２２を収納しておいて、そのシート２２に背景などを印刷しておけば、脚部分１３を本体台紙部分１２から外した時の脚収納用凹部１５から背景がのぞけて物品１０の周囲の外観を形成し、収納した物品をを引き立たせ、またシート２２の裏面には収納した物品についての説明等も記載することができる。
【実施例２】
【００２０】
図６から図８にはこの考案の他の実施形態に係る物品収納展示ケース１ｂが示されている。
【００２１】
この物品収納ケース１ｂでは脚部分１３ａ〜ｂが台紙３の周縁部に配置されるだけではなく、脚部分１３ｃ〜ｄが台紙３の中心部寄りにも形成してある点で、第１の実施形態に係る物品１ａと異なっている。
【００２２】
すなわち物品収納展示ケース１ｂでは、台紙３は本体台紙部分１２と脚部分１３ａ、１３ｂ、１３ｃ、１３ｄを有し、本体台紙部分１２は上縁寄りにマウスの顔状の物品収納用凹部１４と、脚収納用凹部１５ａ、１５ｂ、１５ｃ、１５ｄを形成しているが、このうち脚収納用凹部１５ａ、１５ｂは本体台紙部分１２の下縁に形成されているが、脚収納用凹部１５ｃ、１５ｄは中央よりに形成されている。このように脚収納用凹部１５ａ、１５ｂ、１５ｃ、１５ｄを物品収納用凹部１４の形状や位置との関係で配置を定めれば、自由なデザインによってディスプレー効果の高い物品収納展示ケースを得ることができる。
【００２３】
この物品収納展示ケース１ｂの場合も第１の実施態様にかかわる物品収納展示ケース１ａと同様に、図９に示すように、脚部分１３の下面１７を接地面として利用し、または側面１８を接地面として利用し、箱形ケース２を立てて展示することができる。
【００２４】
なお以上の実施形態では同一の材料からなる本体台紙部分１２と脚部分１３（１３ａ〜１３ｂ）とが台紙３を構成するが、本体台紙部分１２と脚部分１３（１３ａ〜１３ｄ）とは別の材料からなるものであってもよい。
【００２５】
以上の説明から明らかな通り、この発明によれば脚体を散逸することなく、また嵩張ることなく、脚体を箱形ケースに付属させることができる物品収納展示ケースを得ることができる。
【図面の簡単な説明】
【００２６】
【図１】物品収納展示ケースの正面図
【図２】台紙の正面図
【図３】本体台紙部分と脚部分とを分離した台紙の正面図
【図４】箱型ケースを立設展示する場合の箱形ケースと脚部分との嵌め合わせ状態を示す説明図であって、（ａ）は平面図、（ｂ）は平面図
【図５】箱形ケース内にシートを収納した物品収納展示ケースの側面説明図
【図６】他の物品収納展示ケースの正面図
【図７】他の台紙の正面図
【図８】本体台紙部分と脚部分とを分離した他の台紙の正面図
【図９】箱型ケースを立設展示する場合の箱形ケースと脚部分との嵌め合わせ状態            を示す説明図であって、（ａ）は平面図、（ｂ）は平面図
【符号の説明】
【００２７】
１ａ  １ｂ  物品収納展示ケース
２    箱形ケース
３    台紙
４    正面
５    背面
６    左側面
７    右側面
８    上側面
９    下側面
１０  物品
１１  内部の空間
１２  本体台紙部分
１３、１３ａ〜１３ｄ  脚部分
１４  物品収納用凹部
１５、１５ａ〜１５ｄ  脚収納用凹部
１６  上面
１７  下面
１８  側面
２１  溝
２２  シート
【図１】
0003135332.tif 000003
【図２】
0003135332.tif 000004
【図３】
0003135332.tif 000005
【図４】
0003135332.tif 000006
【図５】
0003135332.tif 000007
【図６】
0003135332.tif 000008
【図７】
0003135332.tif 000009
【図８】
0003135332.tif 000010
【図９】
0003135332.tif 000011